(57)【要約】【課題】中性乃至弱アルカリ性領域での顔料の分散安定性及び画像の耐水性に優れる顔料分散剤の提供。【解決手段】顔料分散剤は、下記一般式（１）で表される構造単位と、主鎖骨格から連結基を挟んで芳香族基を有する構造単位とを有し、酸価が３０ｍｇＫＯＨ／ｇ以上１００ｍｇＫＯＨ／ｇ以下の重合体である。一般式（１）中、Ｒ１は、水素原子又はメチル基を示し、Ｘ１は、単結合を除く２価の連結基を示す。2018162344.tif 000011【選択図】なし【特許請求の範囲】
【請求項１】
下記一般式（１）で表される構造単位と、主鎖骨格から連結基を挟んで芳香族基を有する構造単位とを有し、酸価が３０ｍｇＫＯＨ／ｇ以上１００ｍｇＫＯＨ／ｇ以下の重合体である顔料分散剤。
【化１】
2018162344.tif 000009
（一般式（１）中、Ｒ１は、水素原子又はメチル基を示し、Ｘ１は、単結合を除く２価の連結基を示す。）
【請求項２】
前記一般式（１）で表される構造単位が、カルボキシ基を有する（メタ）アクリル酸エステル由来の構造単位を含む請求項１に記載の顔料分散剤。
【請求項３】
前記一般式（１）で表される構造単位が、（メタ）アクリル酸多量体由来の構造単位を含む請求項１に記載の顔料分散剤。
【請求項４】
前記一般式（１）における前記２価の連結基が、直鎖状、分岐鎖状若しくは環状のアルキレン基、アラルキレン基、アリーレン基、複素環基、−ＣＯ−、−Ｏ−、−ＮＨ−若しくは−Ｓ−又はこれらの組み合わせで表される請求項１に記載の顔料分散剤。
【請求項５】
前記一般式（１）におけるＲ１の結合する炭素原子とカルボキシ基との間に介在する原子の数が、１以上１６以下であり、前記原子が、炭素原子、酸素原子、窒素原子、硫黄原子、ケイ素原子及びリン原子からなる群より選択される少なくとも１種である請求項１に記載の顔料分散剤。
【請求項６】
前記主鎖骨格から連結基を挟んで芳香族基を有する構造単位が、下記一般式（３）で表される請求項１〜請求項５のいずれか１項に記載の顔料分散剤。
【化２】
2018162344.tif 000010
（一般式（３）中、Ｒ１は、水素原子又はメチル基を示し、Ｘ２は、単結合又は芳香環構造を含まない２価の連結基を示し、Ｑは、置換基を有していてもよい芳香族基を示す。）
【請求項７】
前記一般式（３）におけるＲ１の結合する炭素原子と芳香族基との間に介在する原子の数が、２以上２０以下であり、前記原子が、炭素原子、酸素原子、窒素原子、硫黄原子、ケイ素原子及びリン原子からなる群より選択される少なくとも１種である請求項６に記載の顔料分散剤。
【請求項８】
前記主鎖骨格から連結基を挟んで芳香族基を有する構造単位が、芳香族基を有する（メタ）アクリル酸エステル由来の構造単位を含む請求項１〜請求項７のいずれか１項に記載の顔料分散剤。
【請求項９】
前記重合体全体に占める芳香環の割合が１５質量％以上３６質量％以下である請求項１〜請求項８のいずれか１項に記載の顔料分散剤。
【請求項１０】
前記重合体全体に占める前記一般式（１）で表される構造単位の割合が、５質量％以上３０質量％以下である請求項１〜請求項９のいずれか１項に記載の顔料分散剤。
【請求項１１】
前記重合体全体に占める前記主鎖骨格から連結基を挟んで芳香族基を有する構造単位の割合が、２０質量％以上８５質量％以下である請求項１〜請求項１０のいずれか１項に記載の顔料分散剤。
【請求項１２】
顔料、水及び請求項１〜請求項１１のいずれか１項に記載の顔料分散剤を含有する水性顔料分散組成物。
【請求項１３】
さらに、水溶性有機溶媒を含有する請求項１２に記載の水性顔料分散組成物。
【請求項１４】
前記水溶性有機溶媒の含有量が、１質量％以上６０質量％以下である請求項１３に記載の水性顔料分散組成物。
【請求項１５】
前記顔料が、キナクリドン系顔料を含む請求項１２〜請求項１４のいずれか１項に記載の水性顔料分散組成物。
【請求項１６】
顔料、水、水溶性有機溶媒及び請求項１〜請求項１１のいずれか１項に記載の顔料分散剤を含有する水性インク。
【請求項１７】
前記水溶性有機溶媒の含有量が、１質量％以上６０質量％以下である請求項１６に記載の水性インク。
【請求項１８】
前記顔料が、キナクリドン系顔料を含む請求項１６又は請求項１７に記載の水性インク。
【請求項１９】
請求項１６〜請求項１８のいずれか１項に記載の水性インクを収容したインクカートリッジ。
【請求項２０】
請求項１６〜請求項１８のいずれか１項に記載の水性インクを記録媒体上に吐出する吐出ヘッドを備える記録装置。
【請求項２１】
請求項１６〜請求項１８のいずれか１項に記載の水性インクを記録媒体上に吐出する吐出工程を有する記録方法。
【発明の詳細な説明】
【技術分野】
【０００１】
本発明は、顔料分散剤、水性顔料分散組成物、水性インク、インクカートリッジ、記録装置及び記録方法に関する。
【背景技術】
【０００２】
特許文献１には、樹脂（Ａ）と、樹脂（Ａ）によって分散された顔料（Ｂ）と、樹脂エマルション（Ｃ）と、水性液媒体（Ｄ）とを少なくとも含むインクジェット記録用水性インクにおいて、前記樹脂（Ａ）は疎水性構造単位（ａ）と親水性構造単位（ｂ）とを有し、
前記疎水性構造単位（ａ）は、前記樹脂（Ａ）の主鎖を形成する原子と直接に結合していない芳香環を有する疎水性構造単位（ａ１）を４０質量％以上と、アクリル酸又はメタクリル酸の、炭素数１〜４のアルキルエステルに由来する疎水性構造単位（ａ２）を１５質量％以上含み、前記親水性構造単位（ｂ）は、アクリル酸及び／又はメタクリル酸に由来する構造単位（ｂ１）を有し、かつ親水性構造単位（ｂ）が１５質量％以下であることを特徴とするインクジェット記録用水性インクが開示されている。
【０００３】
特許文献２には、（ａ）液体ビヒクルと、（ｂ）前記液体ビヒクル中に分散しているポリマー分散型顔料と、を含んで成り、前記ポリマー分散型顔料が、ポリマーで被包された顔料を含み、前記ポリマーが、親水基を有する少なくとも１つの第１モノマーと、疎水基を有する第２モノマーとの重合生成物であり、且つ前記ポリマー分散型顔料が、５．５〜８．５のｐＨにおいても液体ビヒクル中において安定である、インクジェットインクが開示されている。
【先行技術文献】
【特許文献】
【０００４】
【特許文献１】特開２００９−１９１１３３号公報
【特許文献２】特開２００５−２９８８２６号公報
【発明の概要】
【発明が解決しようとする課題】
【０００５】
特許文献１では、顔料分散剤である樹脂（Ａ）が主鎖を形成する原子と直接に結合していない芳香環を有する構造単位を含むことにより、顔料への吸着性の向上を図っている。なお、顔料分散剤は、分子中の酸基を中和して分散安定性を確保することが多く、酸成分として安価且つ容易に入手可能であることから、メタクリル酸、アクリル酸を用いた重合体を使用されることが多い。しかし（メタ）アクリル酸重合体の中和物のｐＨは８．５から９．５のアルカリ性になる。そのため、それよりも低ｐＨ領域である中性乃至弱アルカリ性領域では顔料の分散が不安定になりやすく、顔料分散物が増粘したり凝集する場合がある。一方、ｐＨが９．５以上の強アルカリ性領域ではインク中に含まれる各種成分が加水分解等により劣化する懸念がある。
また、特許文献２では、スルホン基を導入した分散樹脂を使用することで低ｐＨ領域での顔料の分散安定化が可能となっている。しかし、その一方でスルホン基の導入に伴い画像の耐水性が低下してしまい、顔料の分散安定化と画像の耐水性の向上を両立することが難しい場合がある。
【０００６】
本発明は上記従来の事情に鑑みてなされたものであり、下記一般式（１）で表される構造単位に替えてメタクリル酸及びアクリル酸の少なくとも一方由来の構造単位を有する重合体又は酸価が３０ｍｇＫＯＨ／ｇ未満若しくは１００ｍｇＫＯＨ／ｇを超える重合体に比較して、中性乃至弱アルカリ性領域での顔料の分散安定性及び画像の耐水性に優れる顔料分散剤を提供することを目的とする。
【課題を解決するための手段】
【０００７】
前記課題を達成するための具体的手段は以下の通りである。
即ち、請求項１に係る発明は、
下記一般式（１）で表される構造単位と、主鎖骨格から連結基を挟んで芳香族基を有する構造単位とを有し、酸価が３０ｍｇＫＯＨ／ｇ以上１００ｍｇＫＯＨ／ｇ以下の重合体である顔料分散剤。
【０００８】
【化１】
2018162344.tif 000002
【０００９】
（一般式（１）中、Ｒ１は、水素原子又はメチル基を示し、Ｘ１は、単結合を除く２価の連結基を示す。）
【００１０】
請求項２に係る発明は、
前記一般式（１）で表される構造単位が、カルボキシ基を有する（メタ）アクリル酸エステル由来の構造単位を含む請求項１に記載の顔料分散剤。
【００１１】
請求項３に係る発明は、
前記一般式（１）で表される構造単位が、（メタ）アクリル酸多量体由来の構造単位を含む請求項１に記載の顔料分散剤。
【００１２】
請求項４に係る発明は、
前記一般式（１）における前記２価の連結基が、直鎖状、分岐鎖状若しくは環状のアルキレン基、アラルキレン基、アリーレン基、複素環基、−ＣＯ−、−Ｏ−、−ＮＨ−若しくは−Ｓ−又はこれらの組み合わせで表される請求項１に記載の顔料分散剤。
【００１３】
請求項５に係る発明は、
前記一般式（１）におけるＲ１の結合する炭素原子とカルボキシ基との間に介在する原子の数が、１以上１６以下であり、前記原子が、炭素原子、酸素原子、窒素原子、硫黄原子、ケイ素原子及びリン原子からなる群より選択される少なくとも１種である請求項１に記載の顔料分散剤。
【００１４】
請求項６に係る発明は、
前記主鎖骨格から連結基を挟んで芳香族基を有する構造単位が、下記一般式（３）で表される請求項１〜請求項５のいずれか１項に記載の顔料分散剤。
【００１５】
【化２】
2018162344.tif 000003
【００１６】
（一般式（３）中、Ｒ１は、水素原子又はメチル基を示し、Ｘ２は、単結合又は芳香環構造を含まない２価の連結基を示し、Ｑは、置換基を有していてもよい芳香族基を示す。）
【００１７】
請求項７に係る発明は、
前記一般式（３）におけるＲ１の結合する炭素原子と芳香族基との間に介在する原子の数が、２以上２０以下であり、前記原子が、炭素原子、酸素原子、窒素原子、硫黄原子、ケイ素原子及びリン原子からなる群より選択される少なくとも１種である請求項６に記載の顔料分散剤。
【００１８】
請求項８に係る発明は、
前記主鎖骨格から連結基を挟んで芳香族基を有する構造単位が、芳香族基を有する（メタ）アクリル酸エステル由来の構造単位を含む請求項１〜請求項７のいずれか１項に記載の顔料分散剤。
【００１９】
請求項９に係る発明は、
前記重合体全体に占める芳香環の割合が１５質量％以上３６質量％以下である請求項１〜請求項８のいずれか１項に記載の顔料分散剤。
【００２０】
請求項１０に係る発明は、
前記重合体全体に占める前記一般式（１）で表される構造単位の割合が、５質量％以上３０質量％以下である請求項１〜請求項９のいずれか１項に記載の顔料分散剤。
【００２１】
請求項１１に係る発明は、
前記重合体全体に占める前記主鎖骨格から連結基を挟んで芳香族基を有する構造単位の割合が、２０質量％以上８５質量％以下である請求項１〜請求項１０のいずれか１項に記載の顔料分散剤。
【００２２】
請求項１２に係る発明は、
顔料、水及び請求項１〜請求項１１のいずれか１項に記載の顔料分散剤を含有する水性顔料分散組成物。
【００２３】
請求項１３に係る発明は、
さらに、水溶性有機溶媒を含有する請求項１２に記載の水性顔料分散組成物。
【００２４】
請求項１４に係る発明は、
前記水溶性有機溶媒の含有量が、１質量％以上６０質量％以下である請求項１３に記載の水性顔料分散組成物。
【００２５】
請求項１５に係る発明は、
前記顔料が、キナクリドン系顔料を含む請求項１２〜請求項１４のいずれか１項に記載の水性顔料分散組成物。
【００２６】
請求項１６に係る発明は、
顔料、水、水溶性有機溶媒及び請求項１〜請求項１１のいずれか１項に記載の顔料分散剤を含有する水性インク。
【００２７】
請求項１７に係る発明は、
前記水溶性有機溶媒の含有量が、１質量％以上６０質量％以下である請求項１６に記載の水性インク。
【００２８】
請求項１８に係る発明は、
前記顔料が、キナクリドン系顔料を含む請求項１６又は請求項１７に記載の水性インク。
【００２９】
請求項１９に係る発明は、
請求項１６〜請求項１８のいずれか１項に記載の水性インクを収容したインクカートリッジ。
【００３０】
請求項２０に係る発明は、
請求項１６〜請求項１８のいずれか１項に記載の水性インクを記録媒体上に吐出する吐出ヘッドを備える記録装置。
【００３１】
請求項２１に係る発明は、
請求項１６〜請求項１８のいずれか１項に記載の水性インクを記録媒体上に吐出する吐出工程を有する記録方法。
【発明の効果】
【００３２】
請求項１〜請求項１１に係る発明によれば、一般式（１）で表される構造単位に替えてメタクリル酸及びアクリル酸の少なくとも一方由来の構造単位を有する重合体又は酸価が３０ｍｇＫＯＨ／ｇ未満若しくは１００ｍｇＫＯＨ／ｇを超える重合体に比較して、中性乃至弱アルカリ性領域での顔料の分散安定性及び画像の耐水性に優れる顔料分散剤が提供される。
請求項１２〜請求項１５に係る発明によれば、一般式（１）で表される構造単位に替えてメタクリル酸及びアクリル酸の少なくとも一方由来の構造単位を有する重合体又は酸価が３０ｍｇＫＯＨ／ｇ未満若しくは１００ｍｇＫＯＨ／ｇを超える重合体に比較して、有機溶媒を含む水系媒体における中性乃至弱アルカリ性領域での顔料の分散安定性に優れる顔料分散剤を含有する水性顔料分散組成物が提供される。
請求項１６〜請求項１８に係る発明によれば、一般式（１）で表される構造単位に替えてメタクリル酸及びアクリル酸の少なくとも一方由来の構造単位を有する重合体又は酸価が３０ｍｇＫＯＨ／ｇ未満若しくは１００ｍｇＫＯＨ／ｇを超える重合体に比較して、有機溶媒を含む水系媒体における中性乃至弱アルカリ性領域での顔料の分散安定性に優れる顔料分散剤を含有する水性インクが提供される。
請求項１９に係る発明によれば、一般式（１）で表される構造単位に替えてメタクリル酸及びアクリル酸の少なくとも一方由来の構造単位を有する重合体又は酸価が３０ｍｇＫＯＨ／ｇ未満若しくは１００ｍｇＫＯＨ／ｇを超える重合体に比較して、有機溶媒を含む水系媒体における中性乃至弱アルカリ性領域での顔料の分散安定性に優れる顔料分散剤を含有する水性インクを収容したインクカートリッジが提供される。
請求項２０に係る発明によれば、一般式（１）で表される構造単位に替えてメタクリル酸及びアクリル酸の少なくとも一方由来の構造単位を有する重合体又は酸価が３０ｍｇＫＯＨ／ｇ未満若しくは１００ｍｇＫＯＨ／ｇを超える重合体に比較して、有機溶媒を含む水系媒体における中性乃至弱アルカリ性領域での顔料の分散安定性に優れる顔料分散剤を含有する水性インクを用いる記録装置が提供される。
請求項２１に係る発明によれば、一般式（１）で表される構造単位に替えてメタクリル酸及びアクリル酸の少なくとも一方由来の構造単位を有する重合体又は酸価が３０ｍｇＫＯＨ／ｇ未満若しくは１００ｍｇＫＯＨ／ｇを超える重合体に比較して、有機溶媒を含む水系媒体における中性乃至弱アルカリ性領域での顔料の分散安定性に優れる顔料分散剤を含有する水性インクを用いる記録方法が提供される。
【図面の簡単な説明】
【００３３】
【図１】本実施形態に係る記録装置を示す概略構成図である。
【発明を実施するための形態】
【００３４】
以下、本発明の一例である実施形態について詳細に説明する。
【００３５】
＜顔料分散剤＞
本実施形態に係る顔料分散剤は、下記一般式（１）で表される構造単位と、主鎖骨格から連結基を挟んで芳香族基を有する構造単位とを有し、酸価が３０ｍｇＫＯＨ／ｇ以上１００ｍｇＫＯＨ／ｇ以下の重合体である。重合体は、一般式（１）で表される構造単位及び主鎖骨格から連結基を挟んで芳香族基を有する構造単位以外のその他の構造単位を含んでもよい。
【００３６】
【化３】
2018162344.tif 000004
【００３７】
一般式（１）中、Ｒ１は、水素原子又はメチル基を示し、Ｘ１は、単結合を除く２価の連結基を示す。
【００３８】
本実施形態に係る顔料分散剤は主鎖骨格から連結基を挟んで芳香族基を有する構造単位を含むため、顔料の表面に吸着されやすい。そのため、顔料分散剤の顔料への吸着が強くなり、顔料の水性媒体への分散安定性が格段に向上すると考えられる。
また、本実施形態に係る顔料分散剤は一般式（１）で表される構造単位を含む。一般式（１）で表される構造単位では、２価の連結基であるＸ１を介してカルボキシ基が重合体の主鎖骨格に結合する。カルボキシ基が重合体の主鎖骨格と２価の連結基を介して結合することで、カルボキシ基の乖離定数ｐＫａが、アクリル酸又はメタクリル酸由来の構造単位におけるカルボキシ基の乖離定数ｐＫａに比較して低い値となりやすい。そのため、アクリル酸又はメタクリル酸由来の構造単位を含む顔料分散剤に比較して低いｐＨでも酸が解離し、顔料の分散安定性を保つことができる。
また、本実施形態に係る顔料分散剤の酸価は３０ｍｇＫＯＨ／ｇ以上１００ｍｇＫＯＨ／ｇ以下の範囲であるため、中性乃至弱アルカリ性領域での顔料の分散安定性を保ちつつ、画像の耐水性を向上することが可能となる。
以上の理由から、本実施形態に係る顔料分散剤は、一般式（１）で表される構造単位に替えてメタクリル酸及びアクリル酸の少なくとも一方由来の構造単位を有する重合体又は酸価が３０ｍｇＫＯＨ／ｇ未満若しくは１００ｍｇＫＯＨ／ｇを超える重合体に比較して、中性乃至弱アルカリ性領域での顔料の分散安定性及び画像の耐水性に優れると推察される。
【００３９】
以下、本実施形態に係る顔料分散剤について詳細に説明する。
【００４０】
−一般式（１）で表される構造単位−
一般式（１）で表される構造単位は特に限定されるものではなく、カルボキシ基と重合体の主鎖骨格との間に２価の連結基が介在しているものであれば特に限定されない。
カルボキシ基と重合体の主鎖骨格との間に２価の連結基が介在することは即ち、一般式（１）で表される構造単位の元となる単量体が、アクリル酸及びメタクリル酸ではないことを意味する。
【００４１】
本実施形態において、一つの構造単位中に芳香族基とカルボキシ基とが共に含まれる場合、当該構造単位は一般式（１）で表される構造単位に該当するものとする。
【００４２】
Ｘ１で示される２価の連結基としては、例えば、直鎖状、分岐鎖状若しくは環状のアルキレン基、アラルキレン基、アリーレン基、複素環、−ＣＯ−、−Ｏ−、−ＮＨ−若しくは−Ｓ−又はこれらの組み合わせで表されるものが挙げられる。
【００４３】
また、一般式（１）におけるＲ１の結合する炭素原子とカルボキシ基との間に介在する原子の数は１以上１６以下であり、前記原子が、炭素原子、酸素原子、窒素原子、硫黄原子、ケイ素原子及びリン原子からなる群より選択される少なくとも１種であってもよい。
介在する原子の数は、１以上１２以下であることが好ましく、１以上８以下であることがより好ましい。
Ｒ１の結合する炭素原子とカルボキシ基との間に介在する原子の数は、原子の数に基づくカルボキシ基と重合体の主鎖骨格との間の距離に相当する。当該原子の数が多くなるにつれて、カルボキシ基が重合体の主鎖骨格から離れていることを意味する。
Ｘ１に芳香環、脂環式アルキル基等の環状構造が含まれている場合、Ｒ１の結合する炭素原子とカルボキシ基との間に介在する原子の数は、当該原子の数が最小の数となるように数える。
【００４４】
以下に、Ｘ１で示される２価の連結基の具体例を示すが、Ｘ１は以下の具体例に限定されるものではない。下記具体例において＊を付した箇所でＸ１がＲ１の結合する炭素原子と結合し、＊＊を付した箇所でＸ１がカルボキシ基と結合するものとする。また、下記具体例中に付された数字は、各具体例におけるＲ１の結合する炭素原子とカルボキシ基との間に介在する原子の数を示す。
【００４５】
【化４】
2018162344.tif 000005
【００４６】
一般式（１）で表される構造単位は、カルボキシ基を有する（メタ）アクリル酸エステル由来の構造単位であってもよい。
カルボキシ基を有する（メタ）アクリル酸エステルとしては、例えば、２−（メタ）アクリロイルオキシエチルヘキサヒドロフタル酸、２−（メタ）アクリロイルオキシエチルコハク酸、２−（メタ）アクリロイルオキシエチルフタル酸、β−カルボキシエチルアクリレート等が挙げられる。これらの化合物は、１種単独で用いてもよいし、２種以上併用してもよい。
本実施形態において（メタ）アクリレートはアクリレート又はメタクリレートを意味し、（メタ）アクリロイルオキシはアクリロイルオキシ又はメタクリロイルオキシを意味し、（メタ）アクリル酸はアクリル酸又はメタクリル酸を意味し、（メタ）アクリロイル基はアクリロイル基又はメタクリロイル基を意味する。
【００４７】
一般式（１）で表される構造単位は、（メタ）アクリル酸多量体由来の構造単位であってもよい。（メタ）アクリル酸多量体は、下記一般式（２）で表される。
【００４８】
【化５】
2018162344.tif 000006
【００４９】
一般式（２）において、Ｒは水素原子又はメチル基を示し、ｎは整数を示し、１以上４以下であることが好ましく、１以上３以下であることがより好ましい。なお、Ｒが水素原子でｎが１の場合がβ−カルボキシエチルアクリレートである。
【００５０】
一般式（１）で表される構造単位は、重合体の主鎖骨格に直接又は２価の連結基を介して結合した水酸基に酸無水物を付加して形成されたものであってもよい。
水酸基に付加される酸無水物の具体例としては、無水コハク酸、無水フタル酸、無水３−メチルフタル酸、無水トリメリット酸、無水マレイン酸、無水イタコン酸、無水シトラコン酸、無水メチル−５−ノルボルネン−２，３−ジカルボン酸、無水３，４，５，６−テトラヒドロフタル酸、無水ｃｉｓ−１，２，３，６−テトラヒドロフタル酸等が挙げられる。これらの化合物は、１種単独で用いてもよいし、２種以上併用してもよい。
【００５１】
−主鎖骨格から連結基を挟んで芳香族基を有する構造単位−
主鎖骨格から連結基を挟んで芳香族基を有する構造単位は特に限定されるものではなく、例えば、下記一般式（３）で表される構造単位が挙げられる。
【００５２】
【化６】
2018162344.tif 000007
【００５３】
一般式（３）中、Ｒ１は、水素原子又はメチル基を示し、Ｘ２は、単結合又は芳香環構造を含まない２価の連結基を示し、Ｑは、置換基を有していてもよい芳香族基を示す。
一般式（３）における括弧内の構造が主鎖骨格に該当し、−ＣＯ−Ｏ−Ｘ２−が連結基に該当する。
【００５４】
Ｘ２で示される芳香環構造を含まない２価の連結基としては、例えば、アルキレン基、オキシアルキレン基、アルキニレン基、シクロアルキレン基、イミノ基等が挙げられる。
アルキレン基の具体例としては、メチレン基、エチレン基、プロピレン基、ブチレン基、ペンチレン基、ヘキシレン基、ヘプチレン基、オクチレン基、デシレン基、テトラデシレン基、オクタデシレン基等が挙げられる。
オキシアルキレン基の具体例としては、オキシメチレン基、オキシエチレン基、オキシプロピレン基、オキシブチレン基等が挙げられる。
アルキニレン基の具体例としては、エチニレン基、プロピニレン基等が挙げられる。
シクロアルキレン基の具体例としては、シクロヘキシレン基、シクロペンチレン基等が挙げられる。
Ｘ２は、分散安定性の観点から、メチレン基、オキシエチレン基が好ましい。
【００５５】
Ｑで示される置換基を有していてもよい芳香族基としては、例えば、アリール基が挙げられる。アリール基の炭素原子数としては、６以上３０以下であることが好ましく、６以上２０以下であることがより好ましい。
アリール基の具体例としては、例えば、フェニル基、α−ナフチル基、β−ナフチル基等が挙げられる。
置換基としては、アルキル基、ハロゲン原子（例えば、フッ素原子、塩素原子、臭素原子）、ヒドロキシ基、アリール基等が挙げられる。
【００５６】
また、一般式（３）におけるＲ１の結合する炭素原子と芳香族基との間に介在する原子の数は、２以上２０以下であり、前記原子が、炭素原子、酸素原子、窒素原子、硫黄原子、ケイ素原子及びリン原子からなる群より選択される少なくとも１種であってもよい。
介在する原子の数は、２以上１２以下であることが好ましい。
Ｒ１の結合する炭素原子と芳香族基との間に介在する原子の数は、原子の数に基づく芳香族基と重合体の主鎖骨格との間の距離に相当する。当該原子の数が多くなるにつれて、芳香族基が重合体の主鎖骨格から離れていることを意味する。
Ｘ２に脂環式アルキル基等の環状構造が含まれている場合、Ｒ１の結合する炭素原子と芳香族基との間に介在する原子の数は、当該原子の数が最小の数となるように数える。
【００５７】
主鎖骨格から連結基を挟んで芳香族基を有する構造単位は、芳香族基を有する（メタ）アクリル酸エステル由来の構造単位であってもよい。
芳香族基を有する（メタ）アクリル酸エステルの具体例としては、例えば、ベンジルアクリレート、ベンジルメタクリレート、フェノキシエチルメタクリレート、フェノキシエチルアクリレート等が挙げられる。
【００５８】
本実施形態に係る顔料分散剤は、重合体全体に占める芳香環の割合が１５質量％以上３６質量％以下であることが好ましく、２０質量％以上３２質量％以下であることがより好ましい。
芳香環の含有率が１５質量％以上であれば、顔料分散剤の顔料への吸着性の低下が抑制され、低ｐＨ領域での分散安定性が向上する傾向にある。一方、芳香環の含有率が３６質量％以下であれば、顔料分散剤の顔料への吸着性の過度の増大が抑制され、顔料分散剤の立体反発力が減少しにくいために分散安定性の低下が抑制されやすい。
【００５９】
ここで、芳香環の割合は、重合体に含まれる「単環の芳香環、単環の芳香環が縮合した縮合環」の合計の含有率を意味する。なお、重合体の芳香環の含有率の算出において、単環の芳香環、単環の芳香環が縮合した縮合環に置換した置換基は除かれる。
つまり、芳香環の割合は、一般式（１）で表される構造単位、主鎖骨格から連結基を挟んで芳香族基を有する構造単位及び必要に応じて用いられるその他のモノマー由来の構造単位の分子量から、この構造単位中に含まれる芳香環（置換基を有する場合、置換基を除く芳香環）の分子量の割合（質量％）として算出する。
【００６０】
重合体に含まれていてもよいその他の構造単位の元となるその他のモノマーは特に限定されるものではない。
その他のモノマーとしては、（メタ）アクリル酸エステル、イタコン酸エステル、フマル酸エステル、マレイン酸エステル等のα，β−エチレン性不飽和カルボン酸エステル化合物；酢酸ビニル等のビニルエステル化合物；アクリロニトリル等のシアン化ビニル化合物；アクリルアミド等のアクリルアミド化合物；スチレン、アルキル置換スチレン、ハロゲン置換スチレン、ビニルナフタレン等の芳香族ビニル化合物；塩化ビニル、塩化ビニリデン等のハロゲン置換エチレン化合物；エチレン、プロピレン、ブテン、ブタジエン、イソプレン、シクロペンタジエン、ピネン等のエチレン性不飽和化合物；などが挙げられる。これらの化合物は、１種単独で用いてもよいし、２種以上併用してもよい。
これらの中でも、重合のし易さ、及び顔料が分散された顔料分散液の分散安定性の低下をより抑制する点で、（メタ）アクリル酸エステル（例えば、（メタ）アクリル酸メチル、（メタ）アクリル酸エチル、（メタ）アクリル酸ｎ−ブチル、（メタ）アクリル酸シクロヘキシル、（メタ）アクリル酸−２−エチルヘキシル、（メタ）アクリル酸オクチル、（メタ）アクリル酸−２−ヒドロキシエチル、（メタ）アクリル酸−２−ヒドロキシプロピル等）等の（メタ）アクリロイル骨格を有する化合物が好ましい。
【００６１】
重合体が有する一般式（１）で表される構造単位、主鎖骨格から連結基を挟んで芳香族基を有する構造単位及び必要に応じて用いられるその他の構造単位の比率は以下の通りである。
【００６２】
重合体全体に占める主鎖骨格から連結基を挟んで芳香族基を有する構造単位の割合は、２０質量％以上８５質量％以下であることが好ましく、３５質量％以上８０質量％以下であることがより好ましく、４５質量％以上７４質量％以下であることがさらに好ましい。
【００６３】
重合体全体に占める一般式（１）で表される構造単位の割合は、５質量％以上３０質量％以下であることが好ましく、７質量％以上３０質量％以下であることがより好ましく、１０質量％以上２８質量％以下であることがさらに好ましい。
また、一般式（１）で表される構造単位の割合は、後述する顔料分散剤の酸価に鑑みて適宜設定してもよい。
【００６４】
重合体がその他の構造単位を有する場合、重合体全体に占めるその他の構造単位の割合は、０質量％を超え６０質量％以下であることが好ましく、１０質量％以上５０質量％以下であることがより好ましい。
【００６５】
本実施形態に係る顔料分散剤の酸価は、３０ｍｇＫＯＨ／ｇ以上１００ｍｇＫＯＨ／ｇ以下とされる。
酸価が３０ｍｇＫＯＨ／ｇ未満であると、顔料の水性媒体での分散安定性が低くなることがある。一方、酸価が１００ｍｇＫＯＨ／ｇを超えると、顔料分散剤の顔料への吸着が阻害され、分散安定性が低下するとともに、画像の耐水性も相対的に低下していくことがある。上記範囲内の酸価であれば、低いｐＨでの分散安定性を保ちつつ、画像耐水性の獲得が可能となる。
顔料分散剤の酸価は、３５ｍｇＫＯＨ／ｇ以上９５ｍｇＫＯＨ／ｇ以下であることが好ましく、４０ｍｇＫＯＨ／ｇ以上７５ｍｇＫＯＨ／ｇ以下であることがより好ましい。
【００６６】
酸価は、ＪＩＳ  Ｋ００７０：１９９２に従って行い、中和滴定法を用いて測定される。即ち、適当量の試料を分取し、溶媒（テトラヒドロフラン）１００ｍｌ、及び、指示薬（フェノールフタレイン溶液）数滴を加え、水浴上で試料が完全に溶けるまで充分に振り混ぜる。これに、０．１ｍｏｌ／ｌ水酸化カリウムエタノール溶液で滴定し、指示薬の薄い紅色が３０秒間続いた時を終点とする。酸価をＡ、試料量をＳ（ｇ）、滴定に用いた０．１ｍｏｌ／ｌ水酸化カリウムエタノール溶液をＢ（ｍｌ）、ｆを０．１ｍｏｌ／ｌ水酸化カリウムエタノール溶液のファクターとした時、Ａ＝（Ｂ×ｆ×５．６１１）／Ｓとして算出する。
【００６７】
本実施形態に係る顔料分散剤の重量平均分子量は特に限定されるものではない。顔料分散剤の重量平均分子量は、８０００以上３０万以下であることが好ましい。顔料分散剤の重量平均分子量が８０００以上であれば顔料分散液の分散安定性の悪化が抑制されやすく、顔料の沈降や顔料分散液の粘度上昇を引き起こしにくくなる。顔料分散剤の重量平均分子量が３０万以下であれば顔料分散液の粘度が上昇しにくく、顔料の分散不良が生じにくく分散時間が長くなりにくい。顔料分散剤の重量平均分子量は、１万以上１５万以下であることがより好ましく、１万以上１０万以下であることがさらに好ましく、１万以上８万以下であることが特に好ましい。
【００６８】
重量平均分子量（Ｍｗ）は、ゲルパーミエーションクロマトグラフ（ＧＰＣ）により測定される値である。具体的には、ＧＰＣによる分子量測定は、測定装置として東ソー製ＧＰＣ「ＨＬＣ−８１２０ＧＰＣ」を用い、東ソー製カラム・ＴＳＫｇｅｌ ＳｕｐｅｒＨＭ−Ｍ （１５ｃｍ）を使用し、ＴＨＦ溶媒で行う。重量平均分子量は、この測定結果から単分散ポリスチレン標準試料により作成した分子量校正曲線を使用して算出する。
【００６９】
次に、本実施形態に係る顔料分散剤の製造方法について説明する。
本実施形態に係る顔料分散剤は、例えば、一般式（１）で表される構造単位の元となるモノマー、主鎖骨格から連結基を挟んで芳香族基を有する構造単位の元となるモノマー、必要に応じて用いられるその他のモノマー等のラジカル重合性の化合物の単量体を用いて、ラジカル重合により重合することで得られる。
具体的には、溶液重合、乳化重合、懸濁重合など種々の重合方法を採用することができる。例えば、溶液重合法では、通常、モノマー、ラジカル重合開始剤等の試薬を均一に溶解させる溶媒を用いて行う。溶媒は、例えば、脂肪族炭化水素、芳香族炭化水素、ハロゲン化炭化水素、アルコール、カルボン酸、ニトリル、エステル、ケトン、スルホキシド、水等が挙げられる。脂肪族炭化水素としては、ヘキサン、シクロヘキサン、芳香族炭化水素としては、トルエン、キシレン、ハロゲン化炭化水素としてはクロロホルム、四塩化炭素、アルコールとしてはエタノール、イソプロピルアルコール、エチレングリコール、プロピレングリコール、１，４ブタンジオール、ジエチレングリコール、ジプロピレングリコール、カルボン酸としては酢酸、プロピオン酸、ニトリルとしてはアセトニトリル、エステルとしては酢酸エチル、酢酸ブチル、ケトンとしてはメチルエチルケトン、メチルイソブチルケトン、スルホキシドとしてはジメチルスルホキシド等が挙げられる。
【００７０】
ラジカル重合性の化合物の単量体を用いてラジカル重合により重合するとき、重合開始剤を使用してもよい。重合開始剤としては、過酸化水素、過酸化アセチル、過酸化クミル、過酸化ｔｅｒｔ−ブチル、過酸化プロピオニル、過酸化ベンゾイル、過酸化クロロベンゾイル、過酸化ジクロロベンゾイル、過酸化ブロモメチルベンゾイル、過酸化ラウロイル、過硫酸アンモニウム、過硫酸ナトリウム、過硫酸カリウム、ペルオキシ炭酸ジイソプロピル、テトラリンヒドロペルオキシド、１−フェニル−２−メチルプロピル−１−ヒドロペルオキシド、過トリフェニル酢酸、ｔｅｒｔ−ブチルヒドロペルオキシド、過蟻酸ｔｅｒｔ−ブチル、過酢酸ｔｅｒｔ−ブチル、過安息香酸ｔｅｒｔ−ブチル、過フェニル酢酸ｔｅｒｔ−ブチル、過メトキシ酢酸ｔｅｒｔ−ブチル、過Ｎ−（３−トルイル）カルバミン酸ｔｅｒｔ−ブチル、重硫酸アンモニウム、重硫酸ナトリウム、等の過酸化物類；２，２’−アゾビス（イソブチロニトリル）（ＡＩＢＮ）、２，２’−アゾビス−（２，４’−ジメチルバレロニトリル）、ジメチル−２，２’−アゾビス(２−メチルプロピオネート）等のアゾ化合物等が挙げられる。
【００７１】
また、分子量を調整する観点から、連鎖移動剤を使用してもよい。連鎖移動剤としては、例えば、ヘキシルチオール、ヘプタンチオール、オクタンチオール、ノナンチオール、デカンチオール、ドデカンチオール、テトラデカンチオール、ヘキサデカンチオール等のチオール部位を有する化合物；等が挙げられる。
【００７２】
本実施形態に係る顔料分散剤は、顔料が分散された顔料分散液が油性（非水性）の場合、又は水性の場合のいずれの場合でも適用され得る。本実施形態に係る顔料分散剤は、特に、顔料を分散させる顔料分散液が水性である場合の顔料分散剤として適用すると、水性の顔料分散液の分散安定性の低下がより抑制される。
なお、本実施形態に係る顔料分散剤を用いて顔料を分散させた水性の顔料分散液は、例えば、水性塗料の顔料分散液、又は水性インクの顔料分散液として適用され得る。
【００７３】
本実施形態に係る顔料分散剤において、重合体中の構造単位の構造及びその存在量は、核磁気共鳴（ＮＭＲ）、熱分解ガスクロマトグラフ質量分析（ＧＣ−ＭＳ）等の分析機器によって測定することで確認し得る。
【００７４】
（水性顔料分散組成物）
本実施形態に係る水性顔料分散組成物は、本実施形態に係る顔料分散剤と、顔料と、水とを含む。また、必要に応じて、水溶性有機溶媒を含む。
【００７５】
なお、水性顔料分散組成物中に含まれる顔料分散剤は、本実施形態に係る顔料分散剤と本実施形態に係る顔料分散剤以外の顔料分散剤を併用してもよい。本実施形態に係る顔料分散剤以外の顔料分散剤としては、例えば、本実施形態に係る顔料分散剤以外の高分子顔料分散剤、アニオン性界面活性剤、カチオン性界面活性剤、両性界面活性剤、非イオン性界面活性剤等が挙げられる。
ただし、水性顔料分散組成物の分散安定性の低下がより抑制される点で、水性顔料分散組成物中に含まれる本実施形態に係る顔料分散剤は、水性顔料分散組成物中に含まれる顔料分散剤の全量に対して、９０質量％以上であることがよく、１００質量％であることが好ましい。
【００７６】
本実施形態に係る顔料分散剤の含有量は、顔料の種類により異なるため、特に限定されないが、水性顔料分散組成物中の顔料に対し、例えば、０．１質量％以上１００質量％以下であることがよい。
【００７７】
顔料について説明する。
顔料としては、特に制限されないが、例えば、有機顔料、無機顔料が挙げられる。
【００７８】
黒色顔料（ブラック顔料）の具体例としては、Ｒａｖｅｎ７０００，Ｒａｖｅｎ５７５０，Ｒａｖｅｎ５２５０，Ｒａｖｅｎ５０００  ＵＬＴＲＡＩＩ，Ｒａｖｅｎ  ３５００，Ｒａｖｅｎ２０００，Ｒａｖｅｎ１５００，Ｒａｖｅｎ１２５０，Ｒａｖｅｎ１２００，Ｒａｖｅｎ１１９０  ＵＬＴＲＡＩＩ，Ｒａｖｅｎ１１７０，Ｒａｖｅｎ１２５５，Ｒａｖｅｎ１０８０，Ｒａｖｅｎ１０６０（以上、コロンビアン・カーボン社製）、Ｒｅｇａｌ４００Ｒ，Ｒｅｇａｌ３３０Ｒ，Ｒｅｇａｌ６６０Ｒ，Ｍｏｇｕｌ  Ｌ，Ｂｌａｃｋ  Ｐｅａｒｌｓ  Ｌ，Ｂｌａｃｋ  Ｐｅａｒｌｓ  ８００，Ｂｌａｃｋ  Ｐｅａｒｌｓ  ８８０，Ｍｏｎａｒｃｈ  ７００，Ｍｏｎａｒｃｈ  ８００，Ｍｏｎａｒｃｈ  ８８０，Ｍｏｎａｒｃｈ  ９００，Ｍｏｎａｒｃｈ  １０００，Ｍｏｎａｒｃｈ  １１００，Ｍｏｎａｒｃｈ  １３００，Ｍｏｎａｒｃｈ  １４００（以上、キャボット社製）、Ｃｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  １８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ３５，Ｐｒｉｎｔｅｘ  Ｕ，Ｐｒｉｎｔｅｘ  Ｖ，Ｐｒｉｎｔｅｘ１４０Ｕ，Ｐｒｉｎｔｅｘ１４０Ｖ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ４（以上、オリオンエンジニアドカーボンズ社製）、Ｎｏ．２５，Ｎｏ．３３，Ｎｏ．４０，Ｎｏ．４７，Ｎｏ．５２，Ｎｏ．９００，Ｎｏ．２３００，ＭＣＦ−８８，ＭＡ６００，ＭＡ７，ＭＡ８，ＭＡ１００（以上、三菱化学社製）等を挙げられるが、これらに限定されるものではない。
【００７９】
シアン色顔料の具体例としては、Ｃ．Ｉ．Ｐｉｇｍｅｎｔ  Ｂｌｕｅ−１，−２，−３，−１５，−１５：１，−１５：２，−１５：３，−１５：４，−１６，−２２，−６０等が挙げられるが、これらに限定されるものではない。
マゼンタ色顔料の具体例としては、Ｃ．Ｉ．Ｐｉｇｍｅｎｔ  Ｒｅｄ−５，−７，−１２，−４８，−４８：１，−５７，−１１２，−１２２，−１２３，−１４６，−１６８，−１７７，−１８４，−２０２，−２３８，  Ｃ．Ｉ．Ｐｉｇｍｅｎｔ  Ｖｉｏｌｅｔ  −１９等が挙げられるが、これらに限定されるものではない。
イエロー顔料の具体例としては、Ｃ．Ｉ．Ｐｉｇｍｅｎｔ  Ｙｅｌｌｏｗ−１，−２，−３，−１２，−１３，−１４，−１６，−１７，−７３，−７４，−７５，−８３，−９３，−９５，−９７，−９８，−１１４，−１２８，−１２９，−１３８，−１５１，−１５４，−１５５，−１８０，−１８５等が挙げられるが、これらに限定されるものではない。
【００８０】
また、顔料としては、黒色とシアン、マゼンタ、イエローの３原色顔料のほか、赤、緑、青、茶、白等の特定色顔料や、金、銀色等の金属光沢顔料、無色又は淡色の体質顔料、プラスチックピグメント等も挙げられる。
また、顔料としては、シリカ、アルミナ、又は、ポリマービード等をコアとして、その表面に染料又は顔料を固着させた粒子、染料の不溶レーキ化物、着色エマルション、着色ラテックス等も挙げられる。
【００８１】
キナクリドン系顔料（たとえばＣ．Ｉ．Ｐｉｇｍｅｎｔ  Ｒｅｄ−１２２）は水系媒体に分散させることが困難な場合があるが、本実施形態に係る顔料分散剤を用いることで、キナクリドン系顔料が水系媒体中に安定に分散しやすくなる。
【００８２】
水性顔料分散組成物中に含まれる顔料の含有量は、特に限定されないが、予め定められた量が含有されていればよい。例えば、水性顔料分散組成物の全量に対して１質量％以上２５質量％以下（好ましくは、２質量％以上２０質量％以下）が挙げられる。
【００８３】
水について説明する。
水としては、特に不純物の混入、又は微生物の発生を防止するという観点から、イオン交換水、超純水、蒸留水、限外濾過水が好適に挙げられる。
【００８４】
水性顔料分散組成物中に含まれる水の量としては、特に限定されないが、顔料分散組成物中に含まれる顔料濃度が予め定められた量になるように決めればよい。
【００８５】
水溶性有機溶媒について説明する。
水溶性有機溶媒は、例えば、水性顔料分散組成物の保管時の乾燥抑制、及び水性顔料分散組成物による塗膜を乾燥させるときの造膜性の改善を目的に使用される。
水溶性有機溶媒としては、多価アルコール類、多価アルコール類誘導体、含窒素溶媒、アルコール類、含硫黄溶媒等が挙げられる。水溶性有機溶媒としては、その他、炭酸プロピレン、炭酸エチレン等も挙げられる。
【００８６】
多価アルコール類としては、エチレングリコール、ジエチレングリコール、プロピレングリコール、ジプロピレングリコール、ブチレングリコール、トリエチレングリコール、トリプロピレングリコール、１，５−ペンタンジオール、１，２−へキサンジオール、１，２，６−ヘキサントリオール、グリセリン、トリメチロールプロパン、キシリトールなどの糖アルコール類；キシロース、グルコース、ガラクトースなどの糖類；等が挙げられる。
【００８７】
多価アルコール類誘導体としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノブチルエーテル、ジプロピレングリコールモノメチルエーテル、ジプロピレングリコールモノブチルエーテル、ジグリセリンのエチレンオキサイド付加物等が挙げられる。
【００８８】
含窒素溶媒としては、ピロリドン、Ｎ−メチル−２−ピロリドン、シクロヘキシルピロリドン、トリエタノールアミン等が挙げられる。
アルコール類としてはエタノール、イソプロピルアルコール、ブチルアルコール、ベンジルアルコール等が挙げられる。
含硫黄溶媒としては、チオジエタノール、チオジグリセロール、スルフォラン、ジメチルスルホキシド等が挙げられる。
【００８９】
水溶性有機溶媒は、１種類で使用しても２種類以上を併用してもよい。
【００９０】
水溶性有機溶媒の量としては、特に限定されないが、水性顔料分散組成物の保管時の乾燥抑制の度合い、及び水性顔料分散組成物による塗膜を乾燥させるときの造膜性の改善する度合いに応じて、顔料分散組成物中に含まれる顔料濃度が予め定められた量になるように決定すればよい。水溶性有機溶媒の含有量は、例えば、１質量％以上６０質量％以下（好ましくは、１質量％以上４０質量％以下）が挙げられる。
【００９１】
水性顔料分散組成物は、必要に応じて、その他添加剤を含んでいてもよい。その他添加剤は、例えば、酸化防止剤、防カビ剤、導電剤、紫外線吸収剤、およびキレート化剤等が挙げられる。
【００９２】
水性顔料分散組成物の粘度は、顔料の種類等によって異なるため、特に限定されるものではない。例えば、水性顔料分散組成物の粘度は、１．５ｍＰａ・ｓ以上３０ｍＰａ・ｓ以下（好ましくは１．５ｍＰａ・ｓ以上２０ｍＰａ・ｓ以下）の範囲が挙げられる。
また、水性顔料分散組成物の分散安定性の低下がより抑制される点で、水性顔料分散組成物の調整直後（保管前）の粘度と、保管後（例えば、８０℃、６日間保管後）との粘度の差が、０ｍＰ・ｓ以上１．０ｍＰ・ｓ以下（好ましくは０ｍＰａ・ｓ以上０．５ｍＰａ・ｓ以下）であることがよい。
粘度は、回転粘度計ＲＥ−８０Ｌ（東機産業社製）を測定装置として用い、直径２４ｍｍのコーンプレートを用いて、測定温度２３℃、せん断速度５０ｒｐｍで測定する。
【００９３】
水性顔料分散組成物中に分散している顔料の体積平均粒子径は、顔料分散組成物の分散安定性の低下がより抑制される点で、水性顔料分散組成物の調整直後（保管前）と、保管後（例えば、８０℃、６日間保管後）との差が、０ｎｍ以上１０ｎｍ以下（好ましくは０ｎｍ以上５ｎｍ以下）であることがよい。
体積平均粒子径の測定方法としては、動的光散乱式粒径分布測定装置（堀場製作所社製、ＬＢ−５００）を用い、２５℃で測定を行う。
【００９４】
水性顔料分散組成物の用途としては、特に制限されないが、例えば、水性塗料、各種印刷用の水性インク等の用途が挙げられる。
【００９５】
（水性インク）
次に、水性インクについて説明する。
水性インク（以下、単に「インク」とも称する）は、本実施形態に係る顔料分散剤、顔料、水、及び水溶性有機溶媒を含む。
【００９６】
水性インクは、本実施形態に係る顔料分散剤を含んでいる。水性インク中に含まれる顔料分散剤は、本実施形態に係る顔料分散剤と本実施形態に係る顔料分散剤以外の顔料分散剤を併用してもよい。本実施形態に係る顔料分散剤以外の顔料分散剤としては、特に限定されるものではないが、前述の水性顔料分散組成物に含有される本実施形態に係る顔料分散剤以外の顔料分散剤と同様の顔料分散剤が挙げられる。
ただし、水性インクの分散安定性の低下がより抑制される点で、水性インク中に含まれる本実施形態に係る顔料分散剤は、水性インク中に含まれる顔料分散剤の全量に対して、９０質量％以上であることがよく、１００質量％であることが好ましい。
【００９７】
本実施形態に係る顔料分散剤の含有量は、顔料の分散性等により異なるため、特に限定されないが、水性インク中の顔料に対し、例えば、０．１質量％以上１００質量％以下であることがよい。
【００９８】
顔料としては、特に限定されるものではないが、前述の水性顔料分散組成物に含まれる顔料と同様の有機顔料、無機顔料が挙げられる。例えば、黒色顔料（ブラック顔料）、シアン色顔料、マゼンタ色顔料及びイエロー顔料が挙げられ、これらの顔料の具体例は、前述の水性顔料分散組成物に含有される顔料が挙げられる。
【００９９】
水性インクに含まれる顔料の含有量は、例えば、水性インクの全量に対して１質量％以上２５質量％以下が好ましく、２質量％以上２０質量％以下がより好ましい。
【０１００】
水としては、特に不純物の混入、又は微生物の発生を防止するという観点から、イオン交換水、超純水、蒸留水、限外濾過水が好適に挙げられる。
【０１０１】
水の含有量は、例えば、インクに対して１０質量％以上９５質量％以下（好ましくは、３０質量％以上９０質量％以下）であることがよい。
【０１０２】
水溶性有機溶媒としては、前述の水性顔料分散組成物に含まれる水溶性有機溶媒と同様の水溶性有機溶媒が挙げられる。例えば、多価アルコール類、多価アルコール類誘導体、含窒素溶媒、アルコール類、含硫黄溶媒、炭酸プロピレン、炭酸エチレン等が挙げられ、これらの水溶性有機溶媒の具体例は、前述の水性顔料分散組成物に含有される水溶性有機溶媒と同様のものが挙げられる。
【０１０３】
水溶性有機溶媒の含有量は、１質量％以上６０質量％以下が好ましく、１質量％以上４０質量％以下がより好ましい。
【０１０４】
その他添加剤について説明する。
水性インクには、その他添加剤を含んでもよい。その他添加剤としては、インク吐出性改善剤（ポリエチレンイミン、ポリアミン類、ポリビニルピロリドン、ポリエチレングリコール、エチルセルロース、カルボキシメチルセルロース等）、導電率／ｐＨ調整剤（水酸化カリウム、水酸化ナトリウム、水酸化リチウム等のアルカリ金属類の化合物等）、反応性の希釈溶媒、浸透剤、ｐＨ緩衝剤、酸化防止剤、防カビ剤、粘度調整剤、導電剤、キレート化剤、紫外線吸収剤、赤外線吸収剤等が挙げられる。
【０１０５】
また、その他添加剤としては、水性インクの表面張力を調整し易くするための界面活性剤が挙げられる。界面活性剤としては、公知の界面活性剤が挙げられ、例えば、ＨＬＢ（親水基／疎水基バランス「Ｈｙｄｒｏｐｈｉｌｅ−  Ｌｉｐｏｐｈｉｌｅ  Ｂａｒａｎｃｅ」）が１４以下の界面活性剤が挙げられる。ＨＬＢが１４以下の界面活性剤としては、ＨＬＢが１４以下の界面活性剤を単独で用いるか、又は異なるＨＬＢの界面活性剤を複数種使用してＨＬＢを１４以下に調整するなどの方法が挙げられる。
【０１０６】
なお、ＨＬＢ（親水基／疎水基バランス「Ｈｙｄｒｏｐｈｉｌｅ−  Ｌｉｐｏｐｈｉｌｅ  Ｂａｒａｎｃｅ」）は、以下の式（グリフィン法）により定義されるものである。
・ＨＬＢ＝２０×（親水部の式量の総和／分子量）
【０１０７】
水性インクのｐＨは、例えば、好ましくは４以上１０以下（より好ましくは７．５以上９．５以下）の範囲が挙げられる。
【０１０８】
水性インクの導電率は、例えば、０．０１Ｓ／ｍ以上０．５Ｓ／ｍ以下（好ましくは０．０１Ｓ／ｍ以上０．２５Ｓ／ｍ以下、より好ましくは０．０１Ｓ／ｍ以上０．２０Ｓ／ｍ以下）の範囲が挙げられる。
【０１０９】
水性インクの粘度は、例えば、１．５ｍＰａ・ｓ以上３０ｍＰａ・ｓ以下（好ましくは１．５ｍＰａ・ｓ以上２０ｍＰａ・ｓ以下）の範囲が挙げられる。
また、水性インクの分散安定性の低下がより抑制される点で、水性インクの調製直後（保管前）と、保管後（例えば、８０℃、６日間保管後）との粘度の差が、０ｍＰ・ｓ以上１．０ｍＰ・ｓ以下（好ましくは０ｍＰａ・ｓ以上０．５ｍＰａ・ｓ以下）であることがよい。
【０１１０】
水性インク中に分散している顔料の体積平均粒子径は、水性インクの分散安定性の低下がより抑制される点で、水性インクの調製直後（保管前）と、保管後（例えば、８０℃、６日間保管後）との差が、０ｎｍ以上１０ｎｍ以下（好ましくは０ｎｍ以上５ｎｍ以下）であることがよい。
【０１１１】
水性インクのｐＨ、導電率、粘度、及び水性インク中の体積平均粒子径の各々の測定方法は、水性顔料分散組成物のｐＨ、導電率、粘度、及び水性インク中の体積平均粒子径の各々の測定方法と同様である。
【０１１２】
また、水性インクの表面張力は、例えば、２０ｍＮ／ｍ以上５０ｍＮ／ｍ以下（好ましくは、２５ｍＮ／ｍ以上４５ｍＮ／ｍ以下）の範囲が挙げられる。
ここで、表面張力としては、ウイルヘルミー型表面張力計（協和界面科学株式会社製）を用い、２３℃、５５％ＲＨの環境において測定した値を採用する。
【０１１３】
（記録装置／記録方法）
本実施形態に係る記録装置は、本実施形態に係る水性インクを記録媒体上に吐出する吐出ヘッドを備える記録装置である。本実施形態に係る記録装置によれば、本実施形態に係る水性インクを記録媒体上に吐出する吐出工程を有する記録方法が実現される。
【０１１４】
また、本実施形態に係る記録装置には、本実施形態に係る水性インクを収容し、当該記録装置に着脱されるようカートリッジ化されたインクカートリッジを備えていてもよい。
【０１１５】
以下、本実施形態に係る記録装置及び記録方法の一例について図面を参照しつつ説明する。
【０１１６】
図１は、本実施形態に係る記録装置を示す概略構成図である。
【０１１７】
本実施形態に係る記録装置１２は、例えば、図１に示すように、筐体１４内の下部に、給紙容器１６が備えられており、給紙容器１６内に積層された用紙Ｐ（記録媒体の一例）を取り出しロール１８で１枚ずつ取り出す機構を有している。取り出された用紙Ｐは、搬送経路２２を構成する複数の搬送ローラ対２０で搬送される。
【０１１８】
給紙容器１６の上方には、駆動ロール２４及び従動ロール２６に張力を付与されつつ支持された無端状の搬送ベルト２８が配置されている。搬送ベルト２８の上方には、吐出ヘッド３０（吐出装置の一例）が配置されており、搬送ベルト２８における平坦部分に対向している。この吐出ヘッド３０が搬送ベルト２８の平坦部分に対向した領域が、吐出ヘッド３０から用紙Ｐにインクの液滴が吐出される吐出領域となっている。搬送ローラ対２０で搬送された用紙Ｐは、搬送ベルト２８で保持されてこの吐出領域に至り、吐出ヘッド３０に対向した状態となり、吐出ヘッド３０から画像情報に応じて吐出されたインクの液滴が用紙Ｐの表面に付着する。
【０１１９】
吐出ヘッド３０はインクジェット方式によってインク滴を複数のノズルから吐出する吐出ヘッドであり、公知のものが適用される。例えば、吐出ヘッド３０は、インクの液滴を熱により吐出する、所謂サーマル方式であってもよいし、インクの液滴を圧力により吐出する、所謂圧電方式であってもよい。
【０１２０】
また吐出ヘッド３０としては、例えば、有効な記録領域（インクを吐出するノズルの配置領域）が用紙Ｐの幅（搬送方向と交差（例えば直交）する方向の長さ）以上とされた長尺状の吐出ヘッドが挙げられる。
また吐出ヘッド３０としては、目的に応じて、例えば、イエロー（Ｙ）、マゼンタ（Ｍ）、シアン（Ｃ）、及びブラック（Ｋ）の４色それぞれに対応した４つの吐出ヘッドが搬送方向に沿ってアレイ状に配置されている形態、ブラック（Ｋ）に対応した一つの吐出ヘッド３０を配置した形態、他の中間色を加えた４色以上のそれぞれに対応した４つ以上の吐出ヘッド３０を配置した形態等が挙げられる。
【０１２１】
吐出ヘッド３０の上流側（用紙Ｐの搬送方向上流側）には、帯電ロール３２が配置されている。帯電ロール３２は、従動ロール２６との間で搬送ベルト２８及び用紙Ｐを挟みつつ従動し、接地された従動ロール２６との間に電位差を生じさせ、用紙Ｐに電荷を与えて搬送ベルト２８に静電吸着させる。
【０１２２】
吐出ヘッド３０の下流側（用紙Ｐの搬送方向下流側）には、剥離板３４が配置されており、用紙Ｐを搬送ベルト２８から剥離させる。剥離された用紙Ｐは、剥離板３４の下流側（用紙Ｐの搬送方向下流側）で排出経路３６を構成する複数の排出ローラ対３８で搬送され、筐体１４の上部に設けられた排紙容器４０に排出される。
なお、図１に示す記録装置１２は、吐出ヘッド３０によってインクの液滴を用紙Ｐの表面に直接吐出する方式であるが、これに限られず、例えば中間転写体にインクの液滴を吐出した後に、中間転写体上のインクの液滴を用紙Ｐに転写する方式であってもよい。
【０１２３】
また、記録装置１２では、目的のサイズの枚葉状の記録媒体に水性インクを吐出して画像を記録する方式について説明したが、例えば、ロール状の記録媒体（所謂連帳紙）に水性インクを吐出して画像を記録する方式であってもよい。
記録装置１２では、乾燥装置を備えていない記録装置について説明したが、記録媒体上に吐出された水性インクを乾燥する乾燥装置を更に備えた記録装置でもあってもよい。
【０１２４】
本実施形態は、限定的に解釈されるものではなく、本発明の要件を満足する範囲内で実現されることは、言うまでもない。
【実施例】
【０１２５】
以下に、本発明を実施例により具体的に説明するが、本発明はこれらの実施例に何ら限定されるものではない。なお、以下の説明において、特に断りのない限り、「部」及び「％」はすべて質量基準である。
【０１２６】
（顔料分散剤Ｄ−１の合成）
反応容器にメチルエチルケトン２００部を仕込んで窒素気流下７８℃に加熱した。β−カルボキシエチルアクリレート（β−ＣＥＡ：ＳＩＰＯＭＥＲ  β−ＣＥＡ  Ｊ；ソルベイ日華株式会社製）９０部、エチルメタクリレート（ＥＭＡ）１５０部、ベンジルメタクリレート（ＢｚＭＡ）３６０部、メチルエチルケトン２００部、Ｖ−６０１（重合開始剤、和光純薬製）１２部の混合物を３時間かけて滴化し、さらに８０℃で３時間反応させた。メチルエチルケトンを減圧留去することで顔料分散剤Ｄ−１を白色粉体として得た。ＢｚＭＡ、β−ＣＥＡ及びＥＭＡの質量基準の比率ＢｚＭＡ／β−ＣＥＡ／ＥＭＡは６０／１５／２５であった。
顔料分散剤Ｄ−１の酸価は５１ｍｇＫＯＨ／ｇであり、重量平均分子量は４１０００であった。
【０１２７】
（顔料分散剤Ｄ−２の合成）
ＢｚＭＡ、β−ＣＥＡ及びＥＭＡの質量基準の比率ＢｚＭＡ／β−ＣＥＡ／ＥＭＡを６０／１１／２９とした以外は実施例１と同様にして顔料分散剤Ｄ−２を合成した。
顔料分散剤Ｄ−２の酸価は３８ｍｇＫＯＨ／ｇであり、重量平均分子量は３９０００であった。
【０１２８】
（顔料分散剤Ｄ−３の合成）
ＢｚＭＡ、β−ＣＥＡ及びＥＭＡの質量基準の比率ＢｚＭＡ／β−ＣＥＡ／ＥＭＡを６０／２７／１３とした以外は実施例１と同様にして顔料分散剤Ｄ−３を合成した。
顔料分散剤Ｄ−３の酸価は９２ｍｇＫＯＨ／ｇであり、重量平均分子量は４４０００であった。
【０１２９】
（顔料分散剤Ｄ−４の合成）
ＢｚＭＡに替えてフェノキシエチルメタクリレート（ＰＯＥＭＡ）を用い、ＰＯＥＭＡ、β−ＣＥＡ及びＥＭＡの質量基準の比率ＰＯＥＭＡ／β−ＣＥＡ／ＥＭＡを６０／１５／２５とした以外は実施例１と同様にして顔料分散剤Ｄ−４を合成した。
顔料分散剤Ｄ−４の酸価は５１ｍｇＫＯＨ／ｇであり、重量平均分子量は４００００であった。
【０１３０】
（顔料分散剤Ｄ−５の合成）
ＢｚＭＡに替えてベンジルアクリレート（ＢｚＡ）を用い、ＢｚＡ、β−ＣＥＡ及びＥＭＡの質量基準の比率ＢｚＡ／β−ＣＥＡ／ＥＭＡを６０／１５／２５とした以外は実施例１と同様にして顔料分散剤Ｄ−５を合成した。
顔料分散剤Ｄ−５の酸価は５１ｍｇＫＯＨ／ｇであり、重量平均分子量は４００００であった。
【０１３１】
（顔料分散剤Ｄ−６の合成）
β−ＣＥＡに替えて２−メタクリロイルオキシエチルコハク酸（ＳＥＭＡ）を用い、ＢｚＭＡ、ＳＥＭＡ及びＥＭＡの質量基準の比率ＢｚＭＡ／ＳＥＭＡ／ＥＭＡを６０／２０／２０とした以外は実施例１と同様にして顔料分散剤Ｄ−６を合成した。
顔料分散剤Ｄ−６の酸価は４９ｍｇＫＯＨ／ｇであり、重量平均分子量は３９０００であった。
【０１３２】
（顔料分散剤Ｄ−７の合成）
ＥＭＡに替えてシクロヘキシルメタクリレート（ＣＨＭＡ）を用い、ＢｚＭＡ、β−ＣＥＡ及びＣＨＭＡの質量基準の比率ＢｚＭＡ／β−ＣＥＡ／ＣＨＭＡを６０／１５／２５とした以外は実施例１と同様にして顔料分散剤Ｄ−７を合成した。
顔料分散剤Ｄ−７の酸価は５１ｍｇＫＯＨ／ｇであり、重量平均分子量は４００００であった。
【０１３３】
（顔料分散剤Ｄ−８の合成）
ＢｚＭＡ、β−ＣＥＡ及びＥＭＡの質量基準の比率ＢｚＭＡ／β−ＣＥＡ／ＥＭＡを４３／１５／４２とした以外は実施例１と同様にして顔料分散剤Ｄ−８を合成した。
顔料分散剤Ｄ−８の酸価は５１ｍｇＫＯＨ／ｇであり、重量平均分子量は３９０００であった。
【０１３４】
（顔料分散剤Ｄ−９の合成）
ＢｚＭＡ、β−ＣＥＡ及びＥＭＡの質量基準の比率ＢｚＭＡ／β−ＣＥＡ／ＥＭＡを７３／１５／１２とした以外は実施例１と同様にして顔料分散剤Ｄ−９を合成した。
顔料分散剤Ｄ−９の酸価は５１ｍｇＫＯＨ／ｇであり、重量平均分子量は４２０００であった。
【０１３５】
（顔料分散剤Ｄ−１０の合成）
ＢｚＭＡ、β−ＣＥＡ及びＥＭＡの質量基準の比率ＢｚＭＡ／β−ＣＥＡ／ＥＭＡを３２／１５／５３とした以外は実施例１と同様にして顔料分散剤Ｄ−１０を合成した。
顔料分散剤Ｄ−１０の酸価は５１ｍｇＫＯＨ／ｇであり、重量平均分子量は４００００であった。
【０１３６】
（顔料分散剤Ｄ−１１の合成）
ＢｚＭＡに替えてＢｚＡを用い、ＢｚＡ、β−ＣＥＡ及びＥＭＡの質量基準の比率ＢｚＡ／β−ＣＥＡ／ＥＭＡを８１／１５／４とした以外は実施例１と同様にして顔料分散剤Ｄ−１１を合成した。
顔料分散剤Ｄ−１１の酸価は５１ｍｇＫＯＨ／ｇであり、重量平均分子量は３９０００であった。
【０１３７】
（顔料分散剤Ｄ−１２の合成）
β−ＣＥＡに替えてメタクリル酸（ＭＡＡ）を用い、ＢｚＭＡ、ＭＡＡ及びＥＭＡの質量基準の比率ＢｚＭＡ／ＭＡＡ／ＥＭＡを６０／８／３２とした以外は実施例１と同様にして顔料分散剤Ｄ−１２を合成した。
顔料分散剤Ｄ−１２の酸価は５２ｍｇＫＯＨ／ｇであり、重量平均分子量は４２０００であった。
【０１３８】
（顔料分散剤Ｄ−１３の合成）
β−ＣＥＡに替えて２−アクリルアミド−２−メチルプロパンスルホン酸（ＡＭＰＳ）を用い、ＢｚＭＡ、ＡＭＰＳ及びＥＭＡの質量基準の比率ＢｚＭＡ／ＡＭＰＳ／ＥＭＡを６０／２１／１９とした以外は実施例１と同様にして顔料分散剤Ｄ−１３を合成した。
顔料分散剤Ｄ−１３の酸価は５７ｍｇＫＯＨ／ｇであり、重量平均分子量は４００００であった。
【０１３９】
（顔料分散剤Ｄ−１４の合成）
ＢｚＭＡに替えてスチレン（Ｓｔ）を用い、Ｓｔ、β−ＣＥＡ及びＥＭＡの質量基準の比率Ｓｔ／β−ＣＥＡ／ＥＭＡを３５／１５／５０とした以外は実施例１と同様にして顔料分散剤Ｄ−１４を合成した。
顔料分散剤Ｄ−１４の酸価は５１ｍｇＫＯＨ／ｇであり、重量平均分子量は３３０００であった。
【０１４０】
（顔料分散剤Ｄ−１５の合成）
ＢｚＭＡ、β−ＣＥＡ及びＥＭＡの質量基準の比率ＢｚＭＡ／β−ＣＥＡ／ＥＭＡを６０／６／３４とした以外は実施例１と同様にして顔料分散剤Ｄ−１５を合成した。
顔料分散剤Ｄ−１５の酸価は２１ｍｇＫＯＨ／ｇであり、重量平均分子量は３６０００であった。
【０１４１】
（顔料分散剤Ｄ−１６の合成）
ＢｚＭＡ、β−ＣＥＡ及びＥＭＡの質量基準の比率ＢｚＭＡ／β−ＣＥＡ／ＥＭＡを６０／３２／８とした以外は実施例１と同様にして顔料分散剤Ｄ−１６を合成した。
顔料分散剤Ｄ−１６の酸価は１１０ｍｇＫＯＨ／ｇであり、重量平均分子量は４６０００であった。
【０１４２】
得られた顔料分散剤１〜１６についての酸価及び芳香環の含有率をまとめて表１に示す。
【０１４３】
［実施例１〜１４及び比較例１〜５］
（水性顔料分散組成物及び水性インクの調製）
表１に記載の各顔料３．０部、各顔料分散剤０．９部、２５％水酸化ナトリウム水溶液を各顔料分散剤に含まれるカルボキシ基と等モルの水酸化ナトリウムとなる量、メチルエチルケトン０．９部及び水を混合し、０．１ｍｍジルコニアビーズ１００部と共にビーズミル分散機に仕込み、６時間分散した。得られた分散液をろ過することでジルコニアビーズを取り除いた後に、エバポレーターを用いて減圧濃縮し、メチルエチルケトンの除去と、顔料濃度１５％までの濃縮とを行って水性顔料分散組成物を得た。
さらに、得られた水性顔料分散組成物１部にプロピレングリコール０．８部部、トリプロピレングリコール０．２部、サーフィノール４４０（日信化学工業社製）０．０５部、さらに顔料の濃度が５．０％となるように純水を加えて、水性インクを得た。
【０１４４】
＜評価＞
（分散安定性）
水性インクを攪拌しながら、３％硝酸を加えてｐＨを７．５に調整し、２３℃で１日経過後の水性インクの２３℃での粘度（ｐＨ調整後粘度）を測定した。次いで、もとの水性インクに、添加した３％硝酸量と同量の純水を加えた後、２３℃での粘度（ｐＨ調製前粘度）を測定した。得られた結果から粘度変化率［（（ｐＨ調整後粘度とｐＨ調整前粘度の差分）／ｐＨ調製前粘度）×１００］（％）を算出し、下記基準に基づいて評価した。
【０１４５】
−評価基準−
・Ｇ１：粘度変化率が２％以下  （分散安定性が非常に良好）
・Ｇ２：粘度変化率が２％を超え５％以下  （分散安定性が良好）
・Ｇ３：粘度変化率が５％を超え１０％以下  （やや粘度変化が見られるが、実使用レベル）
・Ｇ４：粘度変化率が１０％を超え１５％以下  （粘度変化が大きく、分散安定性に劣る）
・Ｇ５：粘度変化率が１５％を超える  （粘度変化が非常に大きい）
【０１４６】
（耐水性）
得られた水性インクをバーコーター（Ｎｏ．７）を用いてＯＳコート紙Ｗ（富士ゼロックス社製；１２７ｇ／ｍ２）上に塗布してベタ画像を形成し、６０℃ホットプレート上で３分加熱した。得られたベタ画像を、水で湿らせたベンコット（小津産業株式会社製）で往復５回擦り、画像部及びベンコットを目視観察し、下記基準に基づいて評価した。Ｇ１及びＧ２が実用上の許容範囲である。
・Ｇ１：ベタ画像変化無し。ベンコットへの移りも無し。耐水性に非常に優れる。
・Ｇ２：ベタ画像にわずかな濃度変化が見られる。もしくはベンコットへのわずかな色移りが見られる程度。耐水性に優れる。
・Ｇ３：ベタ画像のはがれ、大きな濃度変化が見られる。耐水性に劣る。
【０１４７】
【表１】
2018162344.tif 000008
【０１４８】
表１において、構造単位Ａは、「主鎖骨格から連結基を挟んで芳香族基を有する構造単位」の元となるモノマーを意味し、構造単位Ｂは「一般式（１）で表される構造単位」の元となるモノマーを意味し、構造単位Ｃはその他のモノマーを意味する。
表１において、ＰＢ１５：３は、Ｃ．Ｉ．Ｐｉｇｍｅｎｔ  Ｂｌｕｅ  １５：３（ＤＩＣ社製、ＦＡＳＴＯＧＥＮ  Ｂｌｕｅ  ＴＧＲ−ＳＤ）を意味し、ＰＲ１２２は、Ｃ．Ｉ．Ｐｉｇｍｅｎｔ  Ｒｅｄ  １２２（ＤＩＣ社製、ＦＡＳＴＯＧＥＮ  Ｓｕｐｅｒ  Ｍａｇｅｎｔａ  ＲＧＴ）を意味し、ＰＹ１５５は、Ｃ．Ｉ．Ｐｉｇｍｅｎｔ  Ｙｅｌｌｏｗ  １５５（クラリアント社製、Ｉｎｋ  Ｊｅｔ  Ｙｅｌｌｏｗ  ４ＧＣ）を意味し、ＣＢは、カーボンブラック（キャボット社製、ＢＰ８８０）を意味する。
表１において、「酸価」の単位は「ｍｇＫＯＨ／ｇ」であり、芳香環含有率の単位は「質量％」である。
【符号の説明】
【０１４９】
１２  記録装置
１４  筐体
１６  給紙容器
１８  取り出しロール
２０  搬送ローラ対
２２  搬送経路
２４  駆動ロール
２６  従動ロール
２８  搬送ベルト
３０  吐出ヘッド
３２  帯電ロール
３４  剥離板
３６  排出経路
３８  排出ローラ対
４０  排紙容器
Ｐ  用紙
【図１】
2018162344.tif 000012